(57)【要約】【課題】  家具部品の動きに対応して往復運動ができるように配設される作動部材（１３）と、ダンパ（１９）と、作動部材（１３）の動作をダンパ（１９）の動作に変換するギヤ段（２９）とを備えた家具可動部の減衰装置であって、単純な手段で一方向には減衰効果を得るとともに、逆方向ではほとんど減衰作用のない減衰装置を提供する。【解決手段】  ギヤ段（２９）は、作動部材（１３）を第１の方向に動かす際は連結状態になり、第１の方向とは逆の第２の方向に動かす際は非連結状態になるオーバーラン式クラッチ（３１）を備えている。【選択図】  図４
2004316917.tif 000002
【特許請求の範囲】
【請求項１】
家具部品の動きに対応して往復運動が可能に設けられた作動部材（１３）と、前記部品の動きに減衰効果を与えるダンパ（１９）と、前記作動部材（１３）の動作を前記ダンパ（１９）の動作に変換するギヤ段（２９）とを備えた家具可動部の減衰装置であって、
前記ギヤ段（２９）は、前記作動部材（１３）が第１の方向に動いた場合に連結状態となり、第１の方向とは逆方向である第２の方向に動いた場合に非連結状態となるオーバーラン式クラッチ（３１）を備えていることを特徴とする家具可動部の減衰装置。
【請求項２】
前記オーバーラン式クラッチ（３１）は、前記ギヤ段（２９）の伝動要素（２６）によって構成されていて、
前記伝動要素（２６）は、別の伝動要素（２１）に対して力の伝達方向（３４，３５）のうちの一方向に駆動力を伝達するとともに、この駆動力の伝達方向（３４，３５）と交差する所定の方向に移動可能に配設されており、
前記伝動要素（２６）が前記所定の方向の一側へ移動した場合には、前記別の伝動要素（２１）との連結が解除される一方、逆側へ移動した場合には前記別の伝動要素（２１）と連結されることを特徴とする請求項１記載の家具可動部の減衰装置。
【請求項３】
前記２つの伝動要素（２６，２１）には、それぞれ、これらの伝動要素の相対的な移動によって互いの連結または非連結を切換可能とする、くさび状の係合面が形成されていることを特徴とする請求項２記載の家具可動部の減衰装置。
【請求項４】
前記オーバーラン式クラッチ（３１）は、前記ギヤ段（２９）の歯車（２６）によって構成されていて、
前記歯車（２６）は、ギヤシャフト上に軸方向に摺動可能に嵌め込まれているとともに、軸方向の一側の方向である第１方向への移動によって、該ギヤシャフトと一体回転可能なように係合される一方、逆方向への移動によって、該ギヤシャフトとの係合が外れるように構成されていることを特徴とする請求項１ないし３のうちのいずれか１つに記載の家具可動部の減衰装置。
【請求項５】
前記ギヤシャフトは、少なくとも前記ダンパ（１９）の回転可能部（２１）によって構成されることを特徴とする請求項１ないし４のうちのいずれか１つに記載の家具可動部の減衰装置。
【請求項６】
前記オーバーラン式クラッチ（３１）は、非確実な伝動方式で連結するように構成されていることを特徴とする請求項１ないし５のうちのいずれか１つに記載の家具可動部の減衰装置。
【請求項７】
前記歯車（２６）およびギヤシャフトの少なくとも一方には、円錐状の係合面（２７，２８）が形成されていることを特徴とする請求項１ないし６のうちのいずれか１つに記載の家具可動部の減衰装置。
【請求項８】
前記オーバーラン式クラッチ（３１）は、確実な伝動方式で連結するように構成されていることを特徴とする請求項１ないし５のうちのいずれか１つに記載の家具可動部の減衰装置。
【請求項９】
前記歯車（２６）およびギヤシャフトの少なくとも一方は、くさび状に形成された刻み付き面（３２，３３）を備えていることを特徴とする請求項８記載の家具可動部の減衰装置。
【請求項１０】
前記ギヤ段（２９）は、このギヤ段（２９）の動作方向に応じて、それぞれ異なる方向の係合力と係合解除力とを前記オーバーラン式クラッチ（３１）に与える係合手段（３０）を備えていることを特徴とする請求項１ないし９のうちのいずれか１つに記載の家具可動部の減衰装置。
【請求項１１】
前記オーバーラン式クラッチ（３１）を構成する伝動要素（２６）は、前記ダンパ（１９）上に直接、嵌め込まれていることを特徴とする請求項１ないし１０のうちのいずれか１つに記載の家具可動部の減衰装置。
【請求項１２】
いずれの回転方向にも減衰効果を有する回転ダンパ（１９）が設けられていることを特徴とする請求項１ないし１１のうちのいずれか１つに記載の家具可動部の減衰装置。
【請求項１３】
前記ダンパ（１９）には、該ダンパ（１９）を初期状態に戻す復帰手段が設けられていないことを特徴とする請求項１ないし１２のうちのいずれか１つに記載の家具可動部の減衰装置。
【請求項１４】
前記作動部材（１３）は、その長手方向に摺動可能に配設されていて、前記ギヤ段（２９）の歯車（２６）と噛合するラック歯形（１７）を備えていることを特徴とする請求項１ないし１３のうちのいずれか１つに記載の家具可動部の減衰装置。
【請求項１５】
前記ラック歯形（１７）及び歯車（２６）によって、はすば歯車装置が構成されていることを特徴とする請求項１４記載の家具可動部の減衰装置。
【請求項１６】
前記ギヤ段（２９）は、前記作動部材（１３）の動作を伝達するように構成されていることを特徴とする請求項１ないし１５のうちのいずれか１つに記載の家具可動部の減衰装置。
【請求項１７】
前記家具部品を閉方向に作動させる閉動作装置（６）内に配設されていることを特徴とする請求項１ないし１６のうちのいずれか１つに記載の家具可動部の減衰装置。
【請求項１８】
前記作動部材（１３）または該作動部材（１３）に連結された伝達要素（２６）のいずれか一方が、前記家具部品の閉方向にスプリング（１６）によって付勢されていることを特徴とする請求項１ないし１７のうちのいずれか１つに記載の家具可動部の減衰装置。
【発明の詳細な説明】
【技術分野】
【０００１】
本発明は、家具部品の動きに対応して往復運動ができるように配設された作動部材と、ダンパと、該作動部材の動作をダンパの動作に変換するギヤ段とを備えた家具可動部の減衰装置に関する。
【背景技術】
【０００２】
従来より、引出しを最初に開けた時、長手方向に摺動可能なスライダ状の作動部材がスプリングを引っ張り、その張力がかかった状態でロックするという引出し用ばね荷重式閉動作装置が知られている（例えば、特許文献１参照）。その装置では、引出しが押し込まれると、作動部材が引出しに引っ掛かり、ロック状態から非ロック状態になって、前記スプリングによって引出しが完全に引き戻されるようになっている。この構成では、作動部材に設けられたフランジが、高粘度グリースの塗布されたスライドガイドに沿って案内される。このように、高粘度グリースを用いることによって、引出しの動きを減衰させることができるようになっている。
【０００３】
さらに、摺動可能なスライドが引出しに連結された引出し用閉動作装置も知られている（例えば、特許文献２参照）。この装置では、歯車の噛合によって、前記スライドがピニオンを介して回転ダンパを作動させ、この回転ダンパによって、引出しが確実且つ穏やかに閉まるようになっている。
【特許文献１】欧州特許出願公開第１１８８３９７号明細書
【特許文献２】欧州特許出願公開第１１２００６６号明細書
【発明の開示】
【発明が解決しようとする課題】
【０００４】
上述のような減衰装置によって引出しを穏やかに閉めることができるが、引出しを開ける際にも減衰効果が働き、望ましくない。そのため、引出しを開ける際には減衰効果が生じないように、一方向にしか作用しない回転ダンパを用いることが既に提案されている。この場合の回転ダンパは１方向にしか減衰効果を有しておらず、引出し方向に相当する逆方向への減衰効果は無視できるほどである。しかしながら、このような回転ダンパは、非常に高価であり、そのため、大量生産される家具取付具にはあまり適さない。
【０００５】
本発明は、斯かる点に鑑みてなされたものであり、その目的とするところは、冒頭で述べたタイプの改良型の減衰装置であって、上述の最新技術の欠点を回避して、この最新技術を有効に改良した減衰装置を得ることである。本願発明の減衰装置では、簡単な手段で一方向には減衰効果が得られるとともに、その逆方向には、ほとんど減衰効果が生じないようにすることが可能になる。
【課題を解決するための手段】
【０００６】
上記の目的を満たすため、本発明によれば、請求項１に係る減衰装置が用いられる。本発明のさらに好ましい実施形態は従属請求項に記載されている。
【０００７】
すなわち、本発明によれば、作動部材とダンパとの間に設けられたギヤ機構としてのギヤ段（ｇｅａｒ  ｓｔａｇｅ）は、作動部材の１方向の動作のみを減衰の動作に変換し、逆方向の動作は減衰動作に変換しないように構成されている。このため、ギヤ段は、作動部材を第１の方向に動かすと連結状態になり、第１の方向とは逆方向である第２の方向に動かすと連結状態が解除されるオーバーラン式クラッチを備えている。この結果、減衰効果が２つの動作方向に及ぼされることのない、２方向に利用可能な経済的なダンパとすることができるので、有利である。すなわち、家具の引き出し等を閉める際の作動部材の閉動作のみにダンパの減衰効果が作用し、開く際にはダンパは働かないようにすることができる。
【０００８】
本発明の改良例では、前記オーバーラン式クラッチは、前記ギヤ段の伝動要素によって構成されており、該伝動要素は、別の伝動要素である第２の伝動要素に対して駆動力をその力の伝達方向のうちの一方向に伝達するとともに、この駆動力の伝達方向と交差する所定の方向に移動可能に配設されていて、前記伝動部材の所定方向の一側への移動によって前記第２の伝動要素との連結が解除される一方、逆側への移動によって力の伝達が可能となるように前記第２の伝動要素と連結される。
【０００９】
とりわけ、前記オーバーラン式クラッチは、前記ギヤ段の歯車によって形成されており、該歯車は、ギヤシャフト上に軸方向に摺動可能に嵌め込まれているとともに、軸方向の一側の方向である第１方向への移動によって、ギヤシャフトと一体回転可能なように係合（回転係合）する一方、逆方向への移動によって、ギヤシャフトから外れるように構成されていてもよい。特に、歯車がダンパ（この場合は回転ダンパ）上に直接、嵌め込まれている場合には、コンパクトな構成を実現することができる。歯車の軸方向の動作によって、該歯車は、回転ダンパの本体部分であるケーシング（中間部）から外れたりこのケーシングと係合したりする。
【００１０】
自由回転特性の要因となる前記伝動要素が容易に連結状態または非連結状態になるように、２つの伝動要素は、くさび状、すなわち、伝動要素の摺動方向に対して鋭角に傾斜している係合面を備えているため、２つの伝動要素は、これらの係合面で、該伝動要素の相対的な移動によって係合状態または非係合状態になる。したがって、該２つの伝動要素は、くさび状に形成されたこれらの係合面によって、少しの動作でも確実に係合することができる。
【００１１】
前記オーバーラン式クラッチは、非確実な伝動方式（ｎｏｎ−ｐｏｓｉｔｉｖｅ  ｗａｙ）で連結されるように構成してもよい。歯車が軸方向に摺動可能にギヤシャフト上に嵌合される場合、歯車およびギヤシャフトの少なくとも一方が円錐状の係合面を備えていてもよい。歯車の軸方向への動作に対応して、該歯車の円錐状の内周面は、回転ダンパの本体表面に形成されるギヤシャフトの円錐状の外周面に非確実な伝動方式で嵌合される。歯車が軸方向に変位すると、その円錐状の内周面は、ギヤシャフトの円錐状の外周面に対して嵌合状態となる。すなわち、係合面が円錐状の形状を有しているため、ほんの少しの軸方向の動作によって大きな圧力を生じさせることができ、ひいては大きな駆動力を伝達することができる。
【００１２】
本発明のさらに好適な実施形態によれば、オーバーラン式クラッチは、確実に連結されるように（ｐｏｓｉｔｉｖｅｌｙ  ｅｎｇａｇｉｎｇ  ｍａｎｎｅｒ）構成されていてもよい。例えば、歯車がギヤシャフト上に軸方向に摺動可能に嵌め込まれている場合、くさび状に設けられた、すなわち、回転軸に対して鋭角に傾斜した刻み付き面を、歯車およびギヤシャフトの少なくとも一方に設けるようにしてもよい。これにより、これらの歯車及びギヤシャフトの刻み付き面は互いに確実に当接する。とりわけ、歯車およびギヤシャフトの少なくとも一方に円錐状の面が設けられ、これら円錐状の面が、刻み付き面であり、かつ、その面には、他方の部材に形成された相補型の面取り部と係合するように切子面状の面取り部を形成するようにしていてもよい。同様に、くさび状になるよう形成された係合面に、しわ、溝、または確実に係合させるのに適した他の刻み付き面が、例えば、歯車の軸方向への動作に対応して、ギヤシャフトと確実な伝動方式で堅固に回転係合するように設けられていてもよい。
【００１３】
本発明の改良例では、自由回転動作の切替えを行うために軸方向に変位可能な伝動要素が、ギヤ段の動作によって自動的に作動するものとする。このために、ギヤ段は、このギヤ段の動作方向に応じてそれぞれ異なる方向に生じた力を、軸方向に摺動可能な伝動要素に与える係合手段、特に、はすば歯車装置を備えるようにしてもよい。これにより、オーバーラン式クラッチに作用する係合力および係合を解除する力は、歯車噛合の結果として生じた横方向の力によって生じる。すなわち、ギヤ段の動作方向によって、オーバーラン式クラッチが自動的に切り替えられる。
【００１４】
好ましくは、前記ダンパは、いずれの回転方向にも有効な回転ダンパである。オーバーラン式クラッチがギヤ段に組み込まれているので、ダンパには復帰手段がなくてもよい。すなわち、回転ダンパを毎回初期状態に戻す必要がない。家具の可動部の開動作において、ギヤ段が自由回転する際には、回転ダンパは、単にその場に停止しているにすぎない。家具部品が新たに閉められる際にギヤ段が再び連結するので、回転ダンパはこれに応じて回転するだけである。このプロセスは、ダンパを復帰させなくても繰り返される。したがって、回転ダンパは、常に１つの動作方向にのみ作動し、復帰ばねは不要となる。
【００１５】
本発明の改良例では、作動部材は、その長手方向に摺動した時に、ダンパに設けられた歯車と噛合するラック歯形を備えていてもよい。この構成において、ギヤ段は、前記作動部材の動作を伝達するように構成されている。これにより、家具部品を少ししか動かさない場合でも、ダンパを適切に作動させることができる。
【００１６】
特に有利な形態では、前記減衰装置は、閉動作装置に組み込まれている。前記作動部材または該作動部材に連結された伝達要素のいずれか一方が、家具部品の閉方向にスプリングによって付勢されていてもよい。とりわけ、作動部材または伝達要素にはスプリングが設けられ、家具部品が開く際に張力がかけられてもよい。家具部品を最初に開いた際には、このように張力がかかることが好ましく、この後、このスプリングはロックされるとともに、作動部材は家具部品との係合が外されるので、残りの引出し動作では、引出しが確実にスムーズに動くことになる。家具部品が再び閉められる際は、作動部材が再び家具部材と係合し、スプリングのロックが解除されるので、家具部品は、スプリングによって閉位置まで移動される。この動作の際、減衰装置の減衰効果が発揮される。
【発明を実施するための最良の形態】
【００１７】
以下、本発明の好ましい実施形態を図面に基づいて詳細に説明する。
【００１８】
図１には、家具取付具である引出しガイド１が示されている。この引出しガイド１において、ほぼＬ字状に形成された支持レール２の垂直ウェブ３は、適切な取付け手段（例えば孔４などを利用して）によって、家具の骨組に取付けられている。引出しは、公知の方法（詳細に図示しない）で、支持レール２の水平ウェブ５上に摺動可能に支持されている。
【００１９】
図１に示すように、支持レール２上に閉動作装置６が保持されており、この閉動作装置６は、既知の方法（図示せず）で走行レールまたは引出し溝に設けられているピンをフック７で把持して、該ピンと連動するようになっている。
【００２０】
支持レール２に取り付けられた閉動作装置６は、支持レール２の水平ウェブ５に連結された支持プレート８と、孔１０および適切な取付ピン１１によって閉動作装置６の支持プレート８に連結されたカバー９とを備えている。フック７は、支持プレート８およびカバー９によって形成される閉動作装置６のハウジングから外方に向かって突出する一方、横断シャフト１２を備えており、この横断シャフト１２によって、作動部材であるスライド１３に回動可能に連結されている。このスライド１３は、カバー９と支持プレート８との間で摺動可能に配設されていて、その長手方向に案内されるようになっている。また、フック７は、ガイド部としてのピン１４によって、ガイドトラック１５に案内される。このガイドトラック１５は、カバー９及び支持プレート８の両方に設けられている。図３に示すように、フック７は、スプリング１６により、引出しの閉まる方向に相当する方向へ予め張力がかけられている。スプリング１６は、その一端側で、フック７の取付アームに掛止される一方、他端側で、支持プレート８に掛止されている。
【００２１】
図３〜図６には、引出しが開いている状態と閉まっている状態との間である中間状態のフック７が示されている。
【００２２】
スライド１３は、１軸方向にのみ移動可能になっており、支持プレート８側の面にはラック歯形１７が形成されている。支持プレート８には、このラック歯形１７の形成されている範囲に対応して下方に窪んだ空間を形成するダンパハウジング１８が設けられている。このダンパハウジング１８は、支持プレート８から下方に突出しており、その内部には回転ダンパであるダンパ１９が収容されている。本実施形態の構成では、回転ダンパ１９の回転軸２０は、スライド１３の移動方向に対して横切る方向に延びるように設けられている。そして、この回転ダンパ１９は、ラック歯形１７からこのラック歯形１７に交差する方向へ変位するようになっている。このダンパ１９は、ダンパハウジング１８に取付けてもよい。
【００２３】
図５および図７には、ダンパ１９の構成がより詳細に示されている。ダンパ１９は、回転対称に形成された中間部２１（他の伝動要素）を備えており、その回転軸方向の両端部は、それぞれ、軸方向に延びる２つの突出同軸シリンダ２１’，４１’及び２１”，４１”につながっている。これらのシリンダ間の空間（シリンダ２１’と４１’との間、シリンダ２１”と４１”との間）は、２つの係止部材２２，２２にそれぞれ設けられた相補型シリンダ４２，４３によって埋められており、これらの相補型シリンダ４２，４３もまた、軸方向に延びるように形成されている。そして、前記相補型シリンダ４２，４３が突出同軸シリンダ２１’，４１’及び２１”，４１”の各シリンダ間の空間内にそれぞれ配設された状態で、隣接するシリンダの面同士の間には小さなギャップが形成されていて、そのギャップ内では、高粘度のグリースによって減衰力または制動力が作用するようになっている。
【００２４】
係止部材である側方ディスク２２には、径方向内側に向かってストッパ部２３が形成されていて、このストッパ部２３によって、上方に向かって自由回転した側方ディスク２２が、ダンパハウジング１８の凹部２４に確実に係止されるようになっている。
【００２５】
前記中間部２１の外周には歯車２６が嵌め込まれており、この歯車２６は、組付けられた状態でハウジング１８の下側に設けられた窪み４４内に収容されている。歯車２６の嵌合が外される際、この窪み４４の壁４４´によって、ダンパの軸方向の動作範囲が決まる。
【００２６】
中間部２１の外周壁２７上にＯリング４８等を収容する環状溝４５を設けてもよい。これらＯリング４８等は、歯車２６と中間部２１の壁２７との間の摩擦力を大きくするだけでなく、はすば歯車装置によって歯車２６に新たに嵌合を外す力が作用しない限り、歯車２６が嵌合状態で堅固に保持されるよう、仮の段状ストッパ４６にもなる。
【００２７】
上述とは別の構成の回転ダンパも使用可能である。
【００２８】
図示の実施形態では、ダンパ１９の回転可能部に直接歯車２６が嵌め込まれており、この回転可能部は、中間部２１の外周壁によって構成されている。この中間部２１の外周壁は、内部に孔を有する歯車２６が嵌め込まれるギヤシャフトの一部である。図７に示すように、ダンパ１９の回転可能部の外周壁２７およびピニオン２６の内周壁２８は円錐状に形成されている。ピニオン２６がダンパ１９の円錐状の外周壁２７の表面に軸方向に嵌合された場合（第１の軸方向への移動）、非確実式に回転伝動可能に固く回転係合される結果、ピニオン２６の回転運動によって回転ダンパも回転するようになる。しかしながら、ピニオン２６を軸方向に逆に動かせば、円錐状の内周壁２８が外周壁２７から外れるため、ピニオン２６は、もはやダンパ１９とは回転係合しない状態となる。すなわち、ダンパ１９の回転可能部の外周壁２７のくさび形状、および、ピニオン２６の内周壁２８の相補型くさび形状によって、ピニオン２６をほんの少し軸方向に動かすだけでダンパ１９とピニオン２６との連結・非連結が可能になる。
【００２９】
上述のようなギヤ機構としてのギヤ段２９のピニオン２６における軸方向の連結動作は、ピニオン２６とスライド１３のラック歯形１７とを噛合させる、はすば歯車装置３０（係合手段）によって行われる。図６に示すように、ピニオン２６とラック歯形１７とにより、はすば歯車が構成されていて、ギヤ段２９の作動によって、ピニオン２６が軸方向に移動するようになっている。このピニオン２６の軸方向の移動によって、引出しを閉める際は、ダンパ１９に沿ってピニオン２６が押し嵌められるため、該ピニオン２６はダンパ１９の回転可能部に係合される。一方、逆方向へ動く場合、すなわち、引出しを開ける際は、はすば歯車装置３０によって、ピニオン２６が逆方向に移動し、この動作によって、ダンパ１９からピニオン２６が外れ、ダンパ１９の回転可能部とピニオン２６との係合状態が解除される。ダンパ１９に対して係合したり係合を外したりできるこの伝動要素（ピニオン）２６が、ギヤ段２９に組み込まれたオーバーラン式クラッチ３１を構成している。
【００３０】
ピニオン２６と回転ダンパ１９の回転可能部との間で非確実な伝動方式の連結が適切でない場合は、ピニオン２６およびダンパ１９の回転可能な中間部２１に、互いに確実に係合するように相補型の刻み付き面を形成していてもよい。例えば、図８に示すように、ダンパ１９の中間部２１の外周壁２７を円錐状に形成し、切子面状またはくさび形状の面取り部３２を備えていてもよい。それに対応して、ピニオン２６の内周壁２８も円錐状に形成し、さらに、中間部２１の面取り部３２に対して相補的であり、かつ、くさび形状の面取り部３３を備えていてもよい。ピニオン２６が中間部２１の外周壁２７に嵌合する場合、面取り部３２および３３は、互いに確実に係合する。一方、ピニオン２６が逆方向に動いた場合には、ピニオン２６の面取り部３３が、ダンパ１９の中間部２１の面取り部３２から外れるため、ダンパ１９の回転可能部とピニオン２６とは、もはや堅固に回転係合しない状態になる。
【図面の簡単な説明】
【００３１】
【図１】本発明の好適な実施形態に係る減衰装置を特徴とする閉動作装置を備えている引出しガイド部材の斜視図である。
【図２】ガイド部材から取り外された状態の図１に係る閉動作装置の斜視図である。
【図３】図２に係る閉動作装置の側面図である。
【図４】先行図面に係る閉動作装置の図３の線Ｂ−Ｂに沿う長手方向断面図である。
【図５】先行図面に係る減衰装置およびこの減衰装置を駆動するギヤ段の図４の線Ａ−Ａに沿う断面図である。
【図６】ハウジングの半分が切断されているとともに、ギヤ段のはすば歯車装置が示されている、先行図面に係る閉動作装置の側面図である。
【図７】先行図面に係る減衰装置を回転ダンパと、この回転ダンパを駆動させるピニオン等とに分解した状態を示す分解図である。
【図８】図７に示す実施形態とは別の本発明の実施形態に係る回転ダンパ及びこの回転ダンパを駆動させるピニオンであって、ピニオンと回転ダンパとを確実に係合させるために係合面に切子面状の面取り部が形成されている回転ダンパ及びピニオンを示す図７相当の分解図である。
【符号の説明】
【００３２】
６      閉動作装置
１３    スライド（作動部材）
１６    スプリング
１７    ラック歯形
１９    回転ダンパ（ダンパ）
２１    中間部（回転可能部、別の伝動要素）
２６    ピニオン（伝動要素）
２７    外周壁（係合面）
２８    内周壁（係合面）
２９    ギヤ段
３１    オーバーラン式クラッチ
３２    面取り部（刻み付き面）
３３    面取り部（刻み付き面）
３４    駆動力の伝達経路
３５    駆動力の伝達経路
【図１】
2004316917.tif 000003
【図２】
2004316917.tif 000004
【図３】
2004316917.tif 000005
【図４】
2004316917.tif 000006
【図５】
2004316917.tif 000007
【図６】
2004316917.tif 000008
【図７】
2004316917.tif 000009
【図８】
2004316917.tif 000010